(57)【要約】【課題】設置された道路鋲内に備えられた再帰反射体への光の入射が確実に行われ、再帰反射性が高められた道路鋲を提供する。【解決手段】鋲本体２の上方を塞ぐカバー１の上面に斜め上向きに設けられた入出光面１１により効率よく光をカバー１内に入射させることができ、カバー１内に入射された光を鋲本体２内に収納された再帰反射体に導いて且つ略同じ経路で放出できることで、上面が平坦なものよりはるかに高い再帰反射性を得ることができる。また鋲本体２内に収納される必要部材は再帰反射体３のみであり、自発光式の道路鋲より小型のものとできる。【参照図】        図２【特許請求の範囲】
【請求項１】
上方が開口され道路に埋設される鋲本体と、鋲本体内に備えられた再帰反射体と、鋲本体の上方の開口部を塞ぐ透明な合成樹脂製のカバーとを備え、該カバーには自動車の前照灯等の光を前記再帰反射体に入射させ、且つ前記再帰反射体により再帰反射された光を放出する斜め上向きに傾斜した入出光面が設けられていることを特徴とする道路鋲。
【請求項２】
前記入出光面は、道路面に対して３０゜〜６０゜の角度となされていることを特徴とする請求項１に記載の道路鋲。
【請求項３】
前記入出光面は、道路面に対して４０゜〜５０゜の角度となされていることを特徴とする請求項１に記載の道路鋲。
【請求項４】
前記カバーは、更に傾斜した反射面が設けられ、前記再帰反射体に入射する光及び前記再帰反射体により再帰反射された光が前記反射面により反射されるようになされていることを特徴とする請求項１に記載の道路鋲。
【請求項５】
前記再帰反射体は、上下方向に垂直に設けられるものであって、前記カバー下面から上下方向に相対向して設けられた摺動溝に上下方向に摺動されてカバーに取り付けられ、前記再帰反射体の一端に突起部が設けられると共に、前記摺動溝の一方に、前記突起部が略隙間無く嵌着可能な突起受け部が設けられ、前記再帰反射体を正規の方向以外に前記摺動溝に挿通するのが前記突起部により妨げられるようになされていることを特徴とする請求項１〜４のいずれかに記載の道路鋲。
【発明の詳細な説明】
【技術分野】
【０００１】
本発明は、道路の外側線やセンターライン、交差点中央、横断歩道、中央分離帯、縁石等、種々の場所に設置される道路鋲に関するものである。
【背景技術】
【０００２】
道路に設置され、夜間における外側線の表示や視線誘導を行う埋設型の道路鋲は発光体を備え、その発光体からの光によるものが主流であるが、反射体を備えて自動車等の前照灯を再帰反射させることで夜間における外側線の表示や視線誘導を行う発明も開示されており、例えば特許文献１には全反射プリズムの一面に再帰反射要素を設け、これらを任意の光学保持体に設けた反射道路鋲が開示されている。
【０００３】
また特許文献２には、道路に埋設されるベースと反射体と緩衝板とからなる道路鋲であって、前記反射体は上面が平面で、少なくとも一方の側面が下方に行くに従って中央方向に傾斜し、この側面が光を再帰反射する再帰反射面になされている透明体であり、前記ベースは金属製で上面に穴が設けられ、このベースの穴の中に反射体がベースとの間に緩衝板を挟んで挿入され、反射体の上面とベースの上面とが道路面とほぼ同じ高さになされていることを特徴とする道路鋲が開示されている。
【０００４】
【特許文献１】特開平１０−２８０３４３号公報
【特許文献２】特開平８−３９４５号公報
【発明の開示】
【発明が解決しようとする課題】
【０００５】
しかしながら、特許文献１や特許文献２に記載の道路鋲では、上面が平坦となされているので、入射角度が小さい自動車等の前照灯からの光は上面で反射されてほとんど反射体に入射することがなく、再帰反射性する光がほとんど得られず道路鋲としての機能を果たし得ないものであった。
【０００６】
本発明は上記の如き課題に鑑みてなされたものであり、設置された道路鋲内に備えられた再帰反射体への光の入射が確実に行われ、再帰反射性が高められた道路鋲を提供せんとするものである。
【課題を解決するための手段】
【０００７】
上記課題を解決するため、本発明は以下のような構成としている。すなわち、本発明に係わる道路鋲は、上方が開口され道路に設置される鋲本体と、鋲本体内に備えられた再帰反射体と、鋲本体の上方の開口部を塞ぐ透明な合成樹脂製のカバーとを備え、該カバーには自動車の前照灯等の光を前記再帰反射体に入射させ、且つ前記再帰反射体により再帰反射された光を放出する斜め上向きに傾斜した入出光面が設けられていることを特徴とするものである。
【０００８】
また前記入出光面は、道路面に対して３０゜〜６０゜の角度となされていることを特徴とするものである。
【０００９】
更にまた前記入出光面は、道路面に対して４０゜〜５０゜の角度となされていることを特徴とするものである。
【００１０】
また前記カバーは、更に傾斜した反射面が設けられ、前記再帰反射体に入射する光及び前記再帰反射体により再帰反射された光が前記反射面により反射されるようになされていることを特徴とするものである。
【００１１】
また前記再帰反射体は、上下方向に垂直に設けられるものであって、前記カバー下面から上下方向に相対向して設けられた摺動溝に上下方向に摺動されてカバーに取り付けられ、前記再帰反射体の一端に突起部が設けられると共に、前記摺動溝の一方に、前記突起部が略隙間無く嵌着可能な突起受け部が設けられ、前記再帰反射体を正規の方向以外に前記摺動溝に挿通するのが前記突起部により妨げられるようになされていることを特徴とするものである。
【発明の効果】
【００１２】
請求項１に記載の本発明に係わる道路鋲によれば、斜め上向きに設けられた入出光面により効率よく光をカバー内に入射させることができ、カバー内に入射された光を鋲本体内の再帰反射体に導いて且つ略同じ経路で放出できることで、上面が平坦なものよりはるかに高い再帰反射性を得ることができる。
【００１３】
また請求項２の発明によれば、光の入射効率を確保しつつ入射された光を下方に屈折させることができることで、埋設された鋲本体内の再帰反射体へ光を入射させるのが容易となり好ましい。
【００１４】
また請求項３の発明によれば、光の入射効率の確保及び光の下方への屈折をよりバランスよく行うことができ好ましい。
【００１５】
また請求項４の発明によれば、反射面により入射された光を下方に反射させることができ光を下方に屈折させる必要がないことから、入出射面の道路面との角度を大きくして入出光面における入射時及び放出時の光量の損失を抑えることができ好ましい。
【００１６】
また請求項５の発明によれば、上下方向に設けられた摺動溝を用いることで再帰反射体の取り付けは容易に行うことができるが、突起部により正規の方向以外に再帰反射体を取り付けることが妨げられていることで、表裏や上下を判別し辛い再帰反射体の取り付け方向の誤りを確実に防止することができ好ましい。
【発明を実施するための最良の形態】
【００１７】
本発明に係わる最良の実施の形態について、図面に基づき以下に具体的に説明する。
図１は、本発明に係わる道路鋲の、実施の一形態を示す説明図である。道路鋲１０は、アルミニウムダイカスト製の鋲本体２に、ポリカーボネート樹脂製のカバー１が嵌着されて形成され、カバー１と鋲本体２との間隙はシリコン樹脂である封止材Ｐにより埋められている。カバー１の上面は平坦部１３の中央に断面台形状の凸部１２が設けられ、凸部１２の傾斜面が入出光面１１となされており、これらは射出成形により一体に成型されている。道路鋲１０は鋲本体１内に収納されるのは再帰反射体のみであり、発光部、太陽電池、蓄電池等を収納する必要のある自発光式道路鋲と較べて小型化が図られ、また埋設する場合においても埋設深さＨが格段に小さいものとなされることで施工の容易性をも備えるものとなされている。埋設深さＨは小さいほど上述の利点は大きくなるが、再帰反射体等の内装や強度等を考慮すると、２０〜５０ｍｍ程度が好適である。
【００１８】
図２は、図１のＡ−Ａ断面を示す断面図である。鋲本体２にカバー１はビスＢにより締結され、締結部分は封止材Ｐにより封止されると共に、鋲本体２に取り付けられたパッキンＦにより内部が水密構造となされている。カバー１の凸部１２の上面が道路面と平行となされているとして、入出光面１１が路面となす角度θ１は４５゜とされており、例えば道路鋲１０の認識が最も必要な距離とされる自動車から発せられた前照灯の光が道路面となす角度は約１０゜であるが、その約１０゜の角度θ２で入出光面１１に入射された光Ｌ１は、入出光面１１で下向きに屈折されてカバー１内に導かれ、カバー１内を通過した光Ｌ２は入出光面１１と同じ角度で設けられた内屈折面１４から鋲本体１内部に光Ｌ１と同じ角度の光Ｌ３として放出されてレンズ反射体である再帰反射体３に入射される。再帰反射体３は、カバー１の下面から鋲本体２内に突設されたブロック状の反射体取付部１５の両面に上下方向に垂直に取り付けられている。反射体取付部１５の下端は鋲本体２と接するようになされてカバー１を支持するようになされている。内屈折面１４については入出光面１１と同じ角度に限定されず、光学設計に基づいて適宜の角度としてよい。再帰反射体３に入射された光Ｌ３は正反対の方向に再帰反射され、入射時と逆の経路ととって入出光面１１から放出され、放出された光Ｌ４が自動車の運転者の視界に入り、外側線の認識や視線誘導等が行われる。
【００１９】
また更に遠くの自動車からの前照灯の光が、５゜以下の角度θ３で入射される場合においても同様に再帰反射体３により入射時の光Ｌ５と反対の方向に光Ｌ６が放出されるが、角度θ２の場合より光Ｌ７の入射位置は上方に偏している。逆に角度が大きくなると入射位置は下方に偏するものとなるが、再帰反射体３を上下方向に幅を持たせて配置しておくことで、入射する光Ｌ１及びＬ５と道路面との角度がある程度広範であっても再帰反射性を確保できる。自動車の運転者が道路鋲を視認する必要があるのは、概ね前照灯と道路面との角度が０゜〜１５゜程度となる範囲であり、再帰反射体３もその範囲の角度の光を再帰反射できるように配置しておくのが好ましい。
【００２０】
カバー１に形成する入出光面１１の道路面となす角度は３０゜〜６０゜が好ましいが、図３に基づきその根拠を説明する。イ）に示す如く空気中からカバー１に入射する光Ｌは、カバー１に対する入射角ｉで入射する際に界面で反射光Ｌｒと透過光Ｌｔとに分けられるが、入射角ｉに応じてその割合はハ）のグラフに示す如く、Ｒが反射率、Ｔが透過率であるが、入射角ｉが６０゜付近から急激にＰ波、Ｓ波共に反射率Ｒが上昇する。前照灯の光が道路面と０゜の角度で入射され入出光面１１が３０゜である場合、入射角ｉは６０゜となり入出光面１１と道路面とがなす角度をそれ以下とするとカバー１内に導入される光量が急激に低下し再帰反射性が得られにくくなる。また入出光面１１と道路面とがなす角度が６０゜で、前照灯の光が道路面と１５゜である場合、入射角は１５゜となりカバー１内へ導入される光量は十分なものとなるが、界面での下方への屈折が小さいものとなり、カバー１内に入射された光の行路が長くなって光量の損失が大きくなる恐れがあり、またカバー１の強度不足に繋がる恐れがある。例えばロ）に上述の角度での光の入射状態を示すが、上下方向に広がりを持った光Ｌ１を十分に再帰反射させようとすると、入出光面１１のカバーの厚みを約１０ｍｍとしたときに、凸部１２の上面部分の厚みは５ｍｍ程度にせざるを得なくなり、それ以上厚みが小さくなると車両の乗り上げにより破損する恐れが大きくなる。
【００２１】
カバー１の、平坦部１３から突設させる凸部１２の高さは、高いほどに入出光面１１の面積を大きくして再帰反射性を高めることができ、平坦部１３と入出光面１１とがなす角度が３０゜〜６０゜程度である場合には再帰反射性を高めるために３ｍｍ以上とするのが好ましい。また凸部１２の上面に、特に雨天時などに歩行者や自転車等が乗り上げると滑りやすく危険であり、凸部１２の上面に太陽電池への太陽光の入射をそれ程妨げないように凹凸やＶ溝を設けたり、粗面とするなどして滑り止めを施しておくのが好ましい。
【００２２】
またカバー１は、透明なものであれば特に限定されるものではないが、車両等に乗り上げられる場所に設置されることから衝撃に強いポリカーボネート樹脂が好適に用いられ、他にもアクリル樹脂、強化ガラス等も用いることができる。またポリカーボネート樹脂等の合成樹脂を用いる場合には、上面側にシリコンハードコート等のハードコート層を設けて、擦過傷の防止を図ってもよい。鋲本体２については、カバー１を保持する必要があることから金属製のものが好ましく、腐食に強く加工や形成が容易であるアルミニウム製のダイカスト品を好適に用いることができるが、他に鉄鋼やステンレスの曲げ加工品や、アルミニウム、亜鉛等の鋳造品を用いることもできる。
【００２３】
再帰反射体３は、入射された光を高い効率で再帰反射できるレンズ反射体が好適に用いられるが、特に限定されるものではなく、多数の反射プリズムからなる反射素子群を形成し、その反射素子群の裏面にアルミニウムのような金属の薄膜を金属蒸着法等により積層して反射性能を高めたプリズム状のものや、ガラスビーズやプリズム反射体を表面に配置した反射シート、合成樹脂製のシートにガラスビーズを埋設したもの等を適宜用いることができる。再帰反射体３は、反射体支持部１５に上下方向に垂直に取り付けられるものに限定されず、適宜角度を持たせて取り付けてもよく、内屈折面１４に再帰反射面が接するように取り付けてもよい。更に再帰反射性能を高めるために、カバー１の下面に金属蒸着を施して、カバー１内から鋲本体２内部に向かう光を外部に反射させるようにしてもよい。
【００２４】
（第二の実施形態）
図４は、本発明に係わる第二の実施形態を説明するもので、イ）は道路鋲の平面図、ロ）は側面図である。道路鋲１０は、第一の実施形態と同様に、鋲本体２にカバー１がはめ込まれ、隙間にパッキンＰが充填されて形成されている。カバー１は、凸部１２と挟んで相反する方向に傾斜面である入出光面１１が設けられ、入出光面１１の間は凸部１２、それ以外の部分は平坦面１３となされている。凸部１２の上面には、滑り止め及び水の滞留を防ぐ目的で凸状で直線状のシボ１２１が平行に複数設けられている。
【００２５】
ロ）は、イ）における方向αからの側面図である。入出光面１１から、鋲本体２に内装された再帰反射体３が視認されている。鋲本体２は、カバー１や再帰反射体３等を収納するケース部２１と、カバー１の両側にケース部２１と一体に張り出され、凸部１２の側面を保護する羽根部２２と、ケース部２１の下面から下方に突設された脚部２３とを備え、脚部２３によりケース部２１下方に空間が形成され、道路面への接着面積を増加させて接着強度を高めるようになされていると共に、鋲本体２を形成する材料の節減が図られている。
【００２６】
図５は、図４のイ）のＢ−Ｂ線における断面図である。カバー１の下面には、第一の実施形態と同様に、内屈折面１４及び反射体取付部１５が設けられ、入出光面１１から入射された光が光Ｌ１〜Ｌ３に示す方向にて再帰反射されるようになされている。再帰反射体３は、反射体取付部１５に隣接する凹部１５１に嵌着されているが、加えて反射体取付部１５に接着等してもよい。更にカバー１の下面の、光Ｌ１〜Ｌ３の入出射に関係しない部分に坐繰り部１８が設けられ、材料の低減が図られている。
【００２７】
図６は、図４のイ）のＣ−Ｃ線における断面図である。再帰反射体３は六角形のプリズム反射体であり、カバー１の凸部１２の下方に設けられ、下方からは鋲本体２のケース部２１により支持されている。鋲本体２に設けられた羽根部２２は、カバー１の凸部１２と同じ高さとなされることで、車両の乗り上げ時等にカバー１に斜め方向からの荷重がかけられるのを防止している。
【００２８】
図７は、再帰反射体３のカバー１への取り付けの一例で、反射体取付部１５付近のカバー１下面を示す説明図である。再帰反射体３は、とりわけプリズム反射体を用いる場合には、取付時に表裏若しくは上下の方向を誤って取り付けると、所定の性能が得られなくなる恐れがあるが、カバー材は透明なものが多く、反射体そのものの外観のみでは表裏及び上下が識別し辛いものである。従来はマーキング等により表裏及び上下を示していたが、マーキング等により反射性能が阻害されたり、また取り付け作業時に誤って取り付けてしまう恐れは皆無とは言い難い。
【００２９】
本図に示す再帰反射体３は、反射体取付部１５と、凹部１５１からカバー１の下面にかけて上下方向に且つ相対向して設けられた凸状部１５２とにより形成された摺動溝１５３に、下方向にスライドさせて凹部１５１に突き当たらせることでカバー１に再帰反射体３を取り付けるものであるが、再帰反射体３をスライドさせるのみで容易に取り付け可能である。ここで、再帰反射体３は摺動溝１５３内にほとんど隙間無く嵌挿できるようにしておくことで、再帰反射体３はいずれの方向にも動くことなくカバー１に対してがたつくことなく確実に取り付けられる。
【００３０】
更に本例においては、再帰反射体３の再帰反射面３１の一方の側端に突起部３２を設け、更に一方の摺動溝１５３に、突起部３２が嵌着可能な突起受け部１５４を摺動溝１５３の上下方向全体に亘って設けておくことで、表裏若しくは上下を誤って取り付けようとすると突起部３２がカバー１下面に当たって再帰反射体３を取り付けることができなくなり、再帰反射体３の表裏及び上下を誤って取り付けることを確実に防止することができる。また、カバー１及び再帰反射体３が射出成形等の金型成形により形成するものであれば、かかる構造の形成に係わる作業を要することがなく、より好ましい。
【００３１】
突起部３２は、再帰反射体３を誤って摺動溝１５３に挿入しようとした場合にカバー１の下面に当たって挿入できなくなるような突出長さであればよく、カバー１及び再帰反射体３の寸法公差を考慮して設定してよいが、突起受け部１５４を大きくしすぎるとカバー１の強度低下を招くこととなり、好適には０．５〜１．０ｍｍ程度である。また、相対向して設けられる凸状部１５２の突出長さは、通常再帰反射体３の周囲に形成される無反射部の幅以下としておけば、再帰反射性を損なうことがなくなり好ましい。
【００３２】
（第三の実施形態）
図８は、本発明に係わる道路鋲の、第三の実施形態を示す説明図である。図１に示したものと同様に、道路鋲１０は鋲本体２にカバー１が嵌着され、カバー１の上面に凸部１２が設けられると共にその傾斜側面が入出光面１１となされているものであるが、凸部１２は断面台形状のものが二体設けられており、その間は覆板Ｃにより塞がれている。
【００３３】
図９は、図８のＢ−Ｂ断面を示す断面図であるが、二体の凸部１２の間が覆板Ｃにより塞がれていることで、凸部１２の間に水が滞留して反射面１６の光学特性が変化するのを防止している。凸部１２の上面が道路面と平行であるとして、道路面と角度θ４となされた入出光面１１に道路面と約１０゜の角度で自動車の前照灯からの光Ｌ１が入射されてカバー１内に導入される。入出光面１１の道路面との角度θ４は８０゜であり、光Ｌ１はほとんど屈折及び反射の度合いが少なくカバー１内に導入されて光Ｌ２となるが、光Ｌ２は更に道路面と角度θ５が４５゜に傾斜された反射面１６によりほぼ全光量が下方に反射されて、カバー１の下面に突設された反射体取付部１５に再帰反射面を上向きにして取り付けられた再帰反射体３に入射される。再帰反射体３に入射された光Ｌ３は再帰反射され、入射時と逆の方向に進んで入出光面１１から再び放出されることで、夜間における視認性を確保して道路鋲１０が道路の外側縁の表示や視線誘導の機能を果たしうるものとなる。尚、カバー１、鋲本体２及び再帰反射体３は、図１及び図２に示した実施形態に挙げたものをそれぞれ用いることができる。
【００３４】
また、道路面との角度θ３が０゜に近い光Ｌ４についても、同様に入出光面１１から導入されて光Ｌ５及びＬ６となって再帰反射体３に入射され、再帰反射されて再び入出光面１１から放出されるが、道路面との角度θ２が比較的大きい光Ｌ１の場合と較べ、再帰反射体３に入射される位置は光Ｌ４の到来方向寄りとなっており、再帰反射体３は道路面となす角度θ２及びθ３が０゜〜１５゜の間となされた光Ｌ１及びＬ４により入射され再帰反射体３に導かれる光Ｌ３及びＬ６を再帰反射できる範囲に設けておけばよく、また反射面１６の面の広さについても、再帰反射体３と同様に道路面となす角度θ２及びθ３が０゜〜１５゜の間となされた光Ｌ１及びＬ４により入射され反射面１６に導かれる光Ｌ２及びＬ５が反射できる広さとしておけばよい。更にまた、反射面１６において中央付近で再帰反射させるので、設ける再帰反射体３は一体のみとすることができる。
【００３５】
ここでカバー１の入出光面１１が道路面となす角度θ４は、入射する光を効率よくカバー１内に導入するために、光Ｌ１の方向と垂直に近くするのが好ましいが、上述の如く自動車の運転者が道路鋲を視認する必要があるのは概ね前照灯と道路面との角度が０゜〜１５゜程度となる範囲であり、かかる範囲の光に対し垂直に近い角度となりうる７０゜〜９０゜程度とするのが好ましく、より好ましくは７５〜８５゜程度である。
【００３６】
反射面１６と道路面とがなす角度θ５は、カバー１にポリカーボネートを用いた場合は約５１゜以下とするのが好ましく、その根拠を図１０にて説明する。透明な材料の内部を通過する光Ｌは、空気との界面に到達するとイ）に示す如く反射光Ｌｒと透過光Ｌｔとに分けられるが、入射角ｉによる反射光Ｌｒ及び透過光Ｌｔとなる割合はハ）に示すようなものとなる。入射角ｉが小さく界面と光の方向とが垂直に近い状態においては反射光Ｌｒの割合は小さくなるが、臨界角θ近くで反射光Ｌｒの割合が急激に高くなり、入射角ｉが臨界角θ以上となると反射光Ｌｒの割合が１００％となり全反射の状態となる。かかる臨界角θはポリカーボネートにおいては約３９゜であり、反射面１６の面法線とカバー１内に導入され反射面１６に到達する光Ｌ２とがなす角度θ６が臨界角θ以上であれば光Ｌ２は反射面１６により下方の再帰反射体３に向けて全反射される。光Ｌ２と反射面１６の面法線とがなす角度θ６が最も小さくなるのは、道路面となす角度が０゜の光に対してであり、道路面と光Ｌ２とがなす角度が大きくなるに従い角度θ６は大きくなって行くことから、角度θ５は約５１゜以下とすれば反射面１６により光Ｌ２を確実に下方に全反射させることが可能となる。尚、カバー１にポリカーボネート以外の材料を用いる場合でも、材料固有の臨界角θに応じて角度θ５を設定することで、光Ｌ２を全反射させることが可能である。
【００３７】
（第四の実施形態）
図１１は、本発明に係わる道路鋲の、第四の実施形態を示すもので、イ）は道路鋲の斜視図、ロ）はカバー１の裏面を示す斜視図である。イ）において、方形の鋲本体２に方形のカバー１がはめ込まれて道路鋲１０が形成され、カバー１の上面には四方に傾斜面である入出光面１１が形成された凸部１２が設けられ、その周囲は鋲本体２の周縁と同じ高さの平坦部１３となされている。ロ）において、カバー１の下面には四方が内屈折面１４となされた逆直方錘状の凹部１７が設けられ、凹部１７の中央には直方柱状の反射体取付部１５が突設され、直方柱の周囲の四面に再帰反射体３が取り付けられている。かかる道路鋲１０において、四方から到来する自動車の前照灯等からの光は、四方それぞれに形成された入出光面１１からカバー１内に導入されて、内屈折面１４から再帰反射体３に放出されて再帰反射体３により再帰反射されて再び入出光面１１から放出される。四方からの光を再帰反射できることで、交差点に好適に用いることができる。
【００３８】
（第五の実施形態）
図１２は、本発明に係わる道路鋲の、第五の実施形態を示すもので、イ）は道路鋲の斜視図、ロ）はカバー１の裏面を示す斜視図である。イ）において、円筒状の鋲本体２に円盤状のカバー１がはめ込まれて道路鋲１０が形成され、カバー１の上面には円錐を根本付近で輪切りにした如き形状の凸部１２が設けられ、凸部１２の側面全てが入出光面１１となされている。ロ）において、カバー１の下面には逆円錐状の凹部１７が設けられ、凹部１７の側面全てが内屈折面１４となされている。凹部１７の中央には円筒状の反射体取付部１５が突設され、円筒の周囲全てに再帰反射体３が取り付けられている。ここで用いられる再帰反射体３は、ガラスビーズやプリズム反射体を用いた反射シートを好適に用いることができる。かかる道路鋲１０において、周囲全ての方向からの自動車の前照灯等の光が入出光面１１からカバー１内に導入されて、内屈折面１４から再帰反射体３再帰反射体３により再帰反射されて再び入出光面１１から放出されることで、多数の車線の分岐点やロータリー、車両の到来が種々の方向から考え得る駐車場などに好適に用いることができる。
【００３９】
（第六の実施形態）
図１３は、本発明に係わる道路鋲の、第六の実施形態を示す斜視図である。円筒状の鋲本体２に円盤状のカバー１がはめ込まれて道路鋲１０が形成され、カバー１の上面には断面台形の相対向する傾斜面が円弧状となされて入出光面１１となされている。かかる円弧状の傾斜面が入出光面１１となされていることで、直線の場合よりより広い角度で入出光面１１に対し垂直に光が入射して放出されることができ、入出光面１１の角度を厳密に設定する必要がなく設置に係わる自由度を高めることができ、また種々の方向から到来する車両に対して対応することが可能である。
【００４０】
（第七の実施形態）
図１４は、本発明に係わる道路鋲の、設置状況の一例を示す斜視図である。第一〜第六の実施形態に示した道路鋲１０が、車道Ｒに沿って延設されている縁石Ｅの側面に鋲本体２の底面を用いて取り付けられ、車道Ｒを走行する自動車の前照灯等の光を入出光面１１により受光し、再帰反射させて放出することで縁石Ｅの存在の喚起や視線誘導を行うものである。縁石Ｅの側面に対する鋲本体２の底面を用いた取付方法は、接着剤を用いて接着したり、道路鋲１０の下面にアンカーボルトを突設して縁石Ｅに埋設されたアンカーナットに螺着する等を用いてよい。
【図面の簡単な説明】
【００４１】
【図１】本発明に係わる道路鋲の、第一の実施形態を説明する斜視図である。
【図２】図１のＡ−Ａ断面を示す断面図である。
【図３】図２に示した道路鋲の、光学設計の根拠を示す説明図及びグラフである。
【図４】本発明に係わる道路鋲の、第二の実施形態を説明する平面図及び側面図である。
【図５】図４のＢ−Ｂ線における断面図である。
【図６】図４のＣ−Ｃ線における断面図である。
【図７】第二の実施形態における再帰反射体の取り付けの一例を説明する斜視図である。
【図８】本発明に係わる道路鋲の、第三の実施形態を説明する斜視図である。
【図９】図８のＤ−Ｄ断面図である。
【図１０】図８に示した道路鋲の、光学設計の根拠を示す説明図及びグラフである。
【図１１】本発明に係わる道路鋲の、第四の実施形態を示す説明図である。
【図１２】本発明に係わる道路鋲の、第五の実施形態を示す説明図である。
【図１３】本発明に係わる道路鋲の、第六の実施形態を示す説明図である。
【図１４】本発明に係わる道路鋲の、設置状況の一例を示す説明図である。
【符号の説明】
【００４２】
１    カバー
１１  入出光面
１５  反射体取付部
１５３  摺動溝
１５４  突起受け部
１６  反射面
２    鋲本体
３    再帰反射体
３２  突起部
１０  道路鋲
θ１  入出光面の角度
【図１】
2005127123.tif 000002
【図２】
2005127123.tif 000003
【図３】
2005127123.tif 000004
【図４】
2005127123.tif 000005
【図５】
2005127123.tif 000006
【図６】
2005127123.tif 000007
【図７】
2005127123.tif 000008
【図８】
2005127123.tif 000009
【図９】
2005127123.tif 000010
【図１０】
2005127123.tif 000011
【図１１】
2005127123.tif 000012
【図１２】
2005127123.tif 000013
【図１３】
2005127123.tif 000014
【図１４】
2005127123.tif 000015